(57)【要約】【課題】可視光波長域より長波長側の赤外域の影響を受けることなく、人間による視覚感度と受光素子によって得られる光感度とを整合させる。【解決手段】本発明の一態様に係る受光素子１は、複数の光電変換素子２ａ，２ｂと、複数の光電変換素子２ａ，２ｂのそれぞれに対となる複数の色を持つカラーフィルタ９とを具備する。カラーフィルタ９の一部は、可視光波長域で透過特性を持つ第１フィルタ５である。カラーフィルタ９の他の部分は、可視光波長域で透過抑制特性を持ち、可視光波長域より長波長側で第１フィルタ５とほぼ同レベルの透過特性を持つ。【選択図】      図１
2006313974.tif 000002
【特許請求の範囲】
【請求項１】
複数の光電変換素子と、
前記複数の光電変換素子のそれぞれに対となる複数の色を持つカラーフィルタと
を具備し、
前記カラーフィルタの一部は、可視光波長域で透過特性を持つ第１フィルタであり、
前記カラーフィルタの他の部分は、可視光波長域で透過抑制特性を持ち、可視光波長域より長波長側で前記第１フィルタとほぼ同レベルの透過特性を持つ
ことを特徴とする受光素子。
【請求項２】
前記カラーフィルタの他の部分は、前記第１フィルタと、前記第１フィルタと異なる色の第２フィルタとを光学的に重畳した構成であることを特徴とする請求項１記載の受光素子。
【請求項３】
前記第２フィルタは、赤のカラーフィルタであることを特徴とする請求項２記載の受光素子。
【請求項４】
前記第２フィルタは、５８０ｎｍ以上６４０ｎｍ以下の波長範囲のいずれかにおいて、光の透過率が５０％となることを特徴とする請求項２又は請求項３記載の受光素子。
【請求項５】
前記第２フィルタの着色組成物は、C.I.ピグメントレッド179、C.I.ピグメントイエロー139、C.I.ピグメントバイオレット23の顔料を含むことを特徴とする請求項３又は請求項４記載の受光素子。
【請求項６】
前記第２フィルタの着色組成物は、C.I.ピグメントレッド179、C.I.ピグメントイエロー139、C.I.ピグメントバイオレット23、C.I.ピグメントレッド177の顔料を含むことを特徴とする請求項３又は請求項４記載の受光素子。
【請求項７】
前記カラーフィルタの他の部分は、２色以上の色重ねで形成されることを特徴とする請求項１乃至請求項６のいずれか１項に記載の受光素子。
【請求項８】
前記第１フィルタは、緑のカラーフィルタであることを特徴とする請求項１乃至請求項７のいずれか１項に記載の受光素子。
【請求項９】
前記第１フィルタは、黄のカラーフィルタであることを特徴とする請求項１記載の受光素子。
【請求項１０】
前記カラーフィルタの他の部分は、赤のカラーフィルタであることを特徴とする請求項９記載の受光素子。
【請求項１１】
前記複数の光電変換素子のうち前記カラーフィルタの一部と対となる第１光電変換素子の観測データと、前記複数の光電変換素子のうち前記カラーフィルタの他の部分と対となる第２光電変換素子の観測データとの差に基づいて、可視光波長域の観測データを求める演算手段をさらに具備することを特徴とする請求項１乃至請求項１０のいずれか１項に記載の受光素子。
【請求項１２】
照度センサの観測部に適用されることを特徴とする請求項１乃至請求項１１のいずれか１項に記載の受光素子。
【発明の詳細な説明】
【技術分野】
【０００１】
本発明は、光電変換素子を具備する受光素子に関する。
【背景技術】
【０００２】
撮像素子に具備される例えばＣＣＤやＣＭＯＳなどの光電変換素子は、素子に入射した光を電気信号に変換する。光電変換素子は、人間の視覚感度域である可視光波長域（例えば、４００ｎｍ〜７００ｎｍの波長域）外の領域でも高い感度を有し、特に、可視光波長域より長波長側の波長域（以下、「赤外域」という。例えば、７００ｎｍ〜１１００ｎｍの波長域）についても高い感度を有する。
【０００３】
各光電変換素子の光の入射側には、入射光から特定の色成分を抽出する色分離を行うために３原色（あるいは補色）の有機カラーフィルタが設置される。光電変換素子は、入射光を有機カラーフィルタ経由で受ける。入射光に対して有機カラーフィルタによって色分離が行われるため、観測対象とされている色成分が光電変換素子によって観測される。
【０００４】
しかしながら、有機カラーフィルタには赤外域の光（赤外光）のカット機能がないため、人間の視覚感度域外（例えば７００ｎｍより長波長側）の光が光電変換素子に入射される場合がある。
【０００５】
このような人間の視覚感度域外の光により影響を受ける色分離を避けるため、赤外線カットフィルタが用いられる。
【０００６】
図２２は、人間の視覚感度、光電変換素子の感度（ＳＰＤ感度）、光電変換素子の感度に対して好ましい近赤外域カットフィルタの透過率の関係の例を示すグラフである。
【０００７】
光電変換素子の感度は、赤外域にも広がっている。このため、近赤外線カットフィルタにより、光電変換素子の赤外域の観測を抑制することにより、人間の視覚感度に近い測定が可能となる。すなわち、赤外線カットフィルタで図２２中の斜線部の光をカットすれば、光電変換素子は人間の視覚感度に近い測定が可能となる。
【０００８】
赤外線カットフィルタには、反射型と吸収型の２種類がある。
【０００９】
図２３は、反射型の赤外線カットフィルタと赤外線吸収型の赤外線カットフィルタにおける光の波長と透過率との関係の例を示すグラフである。
【００１０】
反射型の赤外線カットフィルタは、例えば、ガラス板上に無機多層膜を形成して構成される。無機多層膜による反射型の赤外線カットフィルタは、フィルタ面に垂直な方向の入射光に対して高い赤外線のカット機能を持つが、斜め入射などの角度のついた赤外線に対しては十分なカット機能を実現することが困難である。
【００１１】
吸収型の赤外線カットフィルタは、染料又は銅イオンによる光の吸収を利用して赤外線を吸収する。なお、吸収型の赤外線カットフィルタには、金属イオンを含む有機ガラスを用いるタイプ、有機染料系を用いるタイプなど複数の種類がある。
【００１２】
ここで、反射型の赤外線カットフィルタと吸収型の赤外線カットフィルタとを比較すると、吸収型の赤外線カットフィルタの方が反射型の赤外線カットフィルタよりも安価である。また、上述したように、吸収型の赤外線カットフィルタの方が反射型の赤外線カットフィルタよりも角度のついた入射光の赤外線カット性能がよい。
【００１３】
このため、吸収型の赤外線カットフィルタの方が反射型の赤外線カットフィルタよりも一般的に用いられる傾向にある。
【００１４】
また、無機多層膜による反射型の赤外線カットフィルタのカット機能を補い、赤外線の斜め入射又は再入射の影響を低減させる目的で、赤外線吸収型の赤外線カットフィルタと無機多層膜による反射型の赤外線カットフィルタとが併用される場合がある。
【００１５】
従来の撮像素子として、赤色光と緑色光との境界および／または緑色光と青色光との境界における特定の波長域の光を選択的にカットすることによって色純度を補正する機能を有し、さらに近赤外線をカットする機能を有する色純度補正フィルタを具備する固体撮像素子がある（例えば、特許文献１参照）。
【００１６】
また、従来の撮像素子として、赤外光域の透過率を大幅に減少させ可視光域の光を透過させる赤外線吸収剤が配合されて赤外カット能力が付与され、撮像素子本体前面に分光フィルタが配設されているカラー撮像素子がある（例えば、特許文献２参照）。
【００１７】
この特許文献１及び特許文献２では、ＣＣＤやＣＭＯＳなどのような光電変換素子の全体を覆う形で、赤外線カットフィルタが光学系に挿入される。
【００１８】
近年、液晶ディスプレイやプラズマディスプレイなどの技術の発展により、ディスプレイの明るさが向上している。明るさの増したこれらのディスプレイを暗い場所において用いる場合にはこのディスプレイが明るすぎることを防止し、逆に明るい場所において用いる場合にはこのディスプレイの明るさが不足することを防止するために、使用者はディスプレイの輝度を調整することが必要であった。
【００１９】
そのため、ディスプレイが用いられる場所の明るさ（照度）を検知し、ディスプレイの輝度を自動調整するために、光電変換素子を用いた受光素子を照度センサとしてディスプレイに組み込む技術が提案されている。
【特許文献１】特開２０００−１９３２２号公報
【特許文献２】特開昭６３−７３２０４号公報
【発明の開示】
【発明が解決しようとする課題】
【００２０】
吸収型の赤外線カットフィルタは、厚みが１〜３ｍｍ程度あるため、この吸収型の赤外線カットフィルタを撮像素子に用いた場合、カメラの小型化などが困難となる。
【００２１】
また、カメラ部材として、レンズ系に赤外線カットフィルタを組み込む場合、コスト削減が困難となる。
【００２２】
上記特許文献１及び特許文献２の撮像素子は、撮像素子本体の前面全体を覆う赤外線カットフィルタを備える。このため、撮像素子に備えられている全ての受光素子に対して赤外線がカットされ、受光素子による観測と人間の視覚感度とで差が生じる場合がある。
【００２３】
例えば、特許文献２では、この特許文献２の図２及び図１０に示すように、赤外線カットフィルタが人間の可視光波長域５５０ｎｍ〜７００ｎｍの光も吸収してしまう。このため、撮像素子に備えられている全ての受光素子に対して赤外線をカットすると、緑の感度、特に赤の感度が低下する場合がある。
【００２４】
ここで、照度センサに用いる受光素子においても、上述したように、人間の視覚感度域である可視光波長域外の領域でも高い感度を有する光電変換素子を用いるため、特に、赤外域についても高い感度を有する。このため、受光素子の観測結果をそのままディスプレイの明るさの調整に用いると、受光素子の実効的な感度と、人間の目に感じるディスプレイ設置場所の明るさとが異なることを原因として、ディスプレイの輝度調整が人間の視覚感度と異なる範囲で調整されてしまう場合がある。
【００２５】
本発明は、以上のような実情に鑑みてなされたもので、厚みの増加を防止しつつ、複数の光電変換素子のうち一部の補正用の光電変換素子に赤外域の観測を行わせることで、赤外域の影響を受けず人間による視覚感度と受光素子によって得られる観測データ（光感度）とを整合させる受光素子を提供することを目的とする。
【課題を解決するための手段】
【００２６】
本発明を実現するにあたって講じた具体的手段について以下に説明する。
【００２７】
本発明の第１の例は、複数の光電変換素子と、複数の光電変換素子のそれぞれに対となる複数の色を持つカラーフィルタとを具備し、カラーフィルタの一部は、可視光波長域で透過特性を持つ第１フィルタであり、カラーフィルタの他の部分は、可視光波長域で透過抑制特性を持ち、可視光波長域より長波長側で第１フィルタとほぼ同レベルの透過特性を持つ受光素子である。
【００２８】
本発明の第２の例は、上記第１の例において、カラーフィルタの他の部分は、第１フィルタと、第１フィルタと異なる色の第２フィルタとを光学的に重畳した構成の受光素子である。
【００２９】
本発明の第３の例は、上記第２の例において、第２フィルタは、赤のカラーフィルタである受光素子である。
【００３０】
本発明の第４の例は、上記第２又は第３の例において、５８０ｎｍ以上６４０ｎｍ以下の波長範囲のいずれかにおいて、光の透過率が５０％となる受光素子である。
【００３１】
本発明の第５の例は、上記第３又は第４の例において、第２フィルタの着色組成物は、C.I.ピグメントレッド179、C.I.ピグメントイエロー139、C.I.ピグメントバイオレット23の顔料を含む受光素子である。
【００３２】
本発明の第６の例は、上記第３又は第４の例において、第２フィルタの着色組成物は、C.I.ピグメントレッド179、C.I.ピグメントイエロー139、C.I.ピグメントバイオレット23、C.I.ピグメントレッド177の顔料を含む受光素子である。
【００３３】
本発明の第７の例は、上記第１から第６までの例において、カラーフィルタの他の部分は、２色以上の色重ねで形成される受光素子である。
【００３４】
本発明の第８の例は、上記第１から第７までの例において、第１フィルタは、緑のカラーフィルタである受光素子である。
【００３５】
本発明の第９の例は、上記第１の例において、第１フィルタは、黄のカラーフィルタである受光素子である。
【００３６】
本発明の第１０の例は、上記第９の例において、カラーフィルタの他の部分は、赤のカラーフィルタである受光素子である。
【００３７】
本発明の第１１の例は、上記第１から第１０までの例において、複数の光電変換素子のうちカラーフィルタの一部と対となる第１光電変換素子の観測データと、複数の光電変換素子のうちカラーフィルタの他の部分と対となる第２光電変換素子の観測データとの差に基づいて、可視光波長域の観測データを求める演算手段をさらに具備する受光素子である。
【００３８】
本発明の第１２の例は、上記第１から第１１までの例において、照度センサの観測部に適用される受光素子である。
【００３９】
上記第１から第１２までの発明により、可視光波長域で透過特性を持つカラーフィルタの一部経由による光電変換素子の観測データから、可視光波長域で透過抑制（低透過）特性を持ち可視光波長域より長波長側でカラーフィルタの一部とほぼ同レベルの透過特性を持つカラーフィルタの他の部分経由による光電変換素子の観測データを除去することができ、可視光波長域のみの観測データを高精度に求めることができる。
【発明の効果】
【００４０】
本発明では、光電変換素子の光入射側に、赤外線カットフィルタを備える必要がないため、受光素子の厚みを減少させることができる。
【００４１】
また、本発明の受光素子は、赤外域の光の影響を受けない。そのため、人間の視覚感度と受光素子の光感度とを整合させることができ、人間の視覚感度に合わせた感度に応じてディスプレイの輝度を制御でき、ディスプレイの視認性を向上させることができる。
【発明を実施するための最良の形態】
【００４２】
以下、図面を参照しながら本発明の実施の形態について説明する。なお、以下の説明において同一の要素については同一の符号を付してその説明を省略する。
【００４３】
（第１の実施の形態）
本実施の形態では、カラーフィルタの一部を、少なくとも可視光波長域においては人間の視覚感度に合わせた透過率分布を持つフィルタとし、カラーフィルタの他部を、赤外域の透過率の方が可視光波長域の透過率よりも高い補正用のフィルタとする受光素子について説明する。
【００４４】
図１は、本実施の形態に係る受光素子の例を示す断面図である。
【００４５】
受光装置１において、複数の光電変換素子２ａ，２ｂは、半導体基板３の一方の面側（光の入射側）に形成される。
【００４６】
光電変換素子２ａ，２ｂが形成された状態で、半導体基板３の一方の面側には、平坦化層４が形成される。
【００４７】
平坦化層４の光の入射側、すなわち、平坦化層４における半導体基板３側と逆側の面には、光電変換素子２ａ，２ｂと対向する状態で、第１フィルタ５（第１の可視域透過フィルタ）が配置される。第１フィルタ５は、入射光がこの第１フィルタ５経由で光電変換素子２ａ，２ｂの双方に入射するように配置される。
【００４８】
第１フィルタ５の上面、すなわち、第１フィルタにおける平坦化層４側と逆側の面には、一方の光電変換素子２ｂと対向する状態で、第２フィルタ６（第２の可視域透過フィルタ）が配置される。第２フィルタ６は、入射光がこの第２フィルタ６及び第１フィルタ５経由で光電変換素子２ｂに入射するように配置される。
【００４９】
さらに、第１フィルタ５と第２フィルタ６との光の入射側には、平滑化層７が形成される。
【００５０】
平坦化層４，７は、積層状態の第１フィルタ５と第２フィルタ６とについて平坦化を行う。
【００５１】
平坦化層４，７には、厚い部分と薄い部分とがある。平坦化層４，７としては、例えば透明なアクリル樹脂を用いることができる。本実施の形態では、平坦化層４，７を０．６μｍの膜厚で形成する。平滑化層４，７は、第１フィルタ５と第２フィルタ６とを挟持するように形成される。
【００５２】
演算部８は、一方の光電変換素子２ａの観測値から他方の光電変換素子２ｂの観測値を引き算し、この引き算の結果を照度観測値として出力する。第１フィルタ５経由の光の観測値から第１フィルタ５と第２フィルタ６とを経由した光の観測値を引くことにより、赤外域の光の影響を抑制した人間の視覚感度に対応する照度観測値が得られる。
【００５３】
このように、入射光から特定の色成分を抽出するための３原色（あるいは補色）のうちの一つの色の第１フィルタ５の一部に第２フィルタ６が積層されてカラーフィルタ９が構成される。カラーフィルタ９は、第２フィルタ６が積層されていない非積層部の色と、第１フィルタ５と第２フィルタ６とが積層されている積層部の色とを持つ。
【００５４】
カラーフィルタ９の非積層部は一方の光電変換素子２ａと対となり、積層部は他方の光電変換素子２ｂと対となる。非積層部と一方の光電変換素子２ａとで一方の画素を構成し、積層部と他方の光電変換素子２ｂとで他方の画素が構成される。
【００５５】
光電変換素子２ａは、カラーフィルタ９の非積層部経由で入射光を受光し、光電変換素子２ｂは、カラーフィルタ９の積層部経由で入射光を受光する。
【００５６】
カラーフィルタ９の非積層部は、可視光を透過する特性を持つフィルタとする。
【００５７】
カラーフィルタ９の積層部は、可視光波長域で透過抑制特性（低透過特性）を持ち、可視光波長域より長波長側で非積層部とほぼ同レベル（同一あるいは近似）の透過特性を持つフィルタとなる。
【００５８】
図２は、本実施の形態に係る受光素子１を光の入射側から見た正面図である。
【００５９】
本実施の形態においては、カラーフィルタ９の非積層部（第１フィルタ５）を緑（Green）のカラーフィルタ９Ｇとし、カラーフィルタ９の積層部（第１フィルタ５と第２フィルタ６の積層部）を黒（Black）のカラーフィルタ９ＢＬＫとする。なぜならば、カラーフィルタ９ＢＬＫは、可視光波長域で透過抑制特性（低透過特性）を持つとしているため、目視では黒に見えるためである。緑のカラーフィルタ９Ｇは、人間の視覚感度に近い５５０ｎｍ近傍で透過率のピークを持つ。なお、緑のカラーフィルタ９Ｇ経由で観測されるおよそ６００ｎｍ以上の長波長側の光の観測値は、黒のカラーフィルタ９ＢＬＫ経由の観測値を引く演算によりカットされる。したがって、緑のカラーフィルタ９Ｇとしては、約４００ｎｍ〜７００程度の幅の広い範囲で透過域を持つフィルタを用いることができ、５５０ｎｍ近傍に透過率のピークを有する淡い高透過率の緑のカラーフィルタが適用可能である。
【００６０】
本実施の形態において、緑のカラーフィルタ９Ｇの色材には、C.I.ピグメントイエロー139、C.I.ピグメントイエロー150、C.I.ピグメントグリーン36、C.I.ピグメントグリーン7を混合した色材を用いた。
【００６１】
本実施の形態において、第１フィルタ５と第２フィルタ６との積層部であるカラーフィルタ９ＢＬＫは、人間の視覚感度に近い波長の光の透過が抑制されている特性を持ち、さらに、およそ６００ｎｍ以上の人間の視覚感度より長波長側の光を高透過とする特性を持つ。そのため、本実施の形態では、第１フィルタ５を緑のカラーフィルタ９Ｇとし、第２フィルタ６を赤のカラーフィルタ９Ｒとしている。
【００６２】
本実施の形態において、赤のカラーフィルタ９Ｒの色材には、C.I.ピグメントレッド179、C.I.ピグメントイエロー139、C.I.ピグメントバイオレット23を混合した色材を用いた。
【００６３】
すなわち、上述したように、緑のカラーフィルタ９Ｇと赤のカラーフィルタ９Ｒとの積層部は、黒のカラーフィルタ９ＢＬＫとなる。
【００６４】
例えば、カラーフィルタ９Ｇの緑とカラーフィルタ９Ｒの赤とは、感光性のアクリル樹脂を緑と赤の有機顔料のバインダーとして塗布し、露光し、現像して形成する。緑のカラーフィルタ９Ｇと赤のカラーフィルタ９Ｒとは、それぞれ約２μｍの膜厚とする。
【００６５】
本実施の形態では、緑のカラーフィルタ９Ｇの顔料濃度を３３％としているが、顔料濃度を２３％以下とすると、ピーク透過率が９０％以上となり、例えば４００ｎｍ近傍の人間の視覚感度範囲の光の透過率を上げることが可能である。
【００６６】
図３は、緑のカラーフィルタ９Ｇの分光特性の例を示すグラフであり、光の波長と透過率との関係の例を示している。
【００６７】
緑のカラーフィルタ９Ｇの透過率は、波長４００ｎｍから１１００ｎｍまでの範囲において、短波長から長波長となるにつれて、４２０ｎｍ付近から増加し、５４０ｎｍ付近で一度ピークを向かえ、その後減少し、６４０ｎｍ〜６８０ｎｍ付近の範囲で低透過となり、６８０ｎｍ〜７００ｎｍ付近の範囲から再度増加する特性を持つ
図４は、赤のカラーフィルタ９Ｒの分光特性の例を示すグラフである。
【００６８】
赤のカラーフィルタ９Ｒの透過率は、波長４００ｎｍから５６０付近までの範囲で抑制されている状態であり、長波長となるにつれて、波長５６０ｎｍ付近から急激に増加し、波長５８０ｎｍ以上６４０ｎｍ以下の範囲のいずれかにおいて５０％となる。
【００６９】
図５は、緑のカラーフィルタ９Ｇと赤のカラーフィルタ９Ｒとの積層部である黒のカラーフィルタ９ＢＬＫの分光特性の例を示すグラフである。
【００７０】
黒のカラーフィルタ９ＢＬＫの透過率は、６８０ｎｍ付近において増加がはじまる特性を持つ。この黒のカラーフィルタ９ＢＬＫの分光透過率は、人間の可視域では低く抑えられており、さらに６８０ｎｍ付近より長波長側では長波長となるにつれて上記図３に示す緑のカラーフィルタ９Ｇとほぼ同様の状態で増加する特性を持つ。黒のカラーフィルタ９ＢＬＫは、８００ｎｍより長波長の光について透過特性を持つといえる。すなわち、黒のカラーフィルタ９ＢＬＫの透過率は、緑のカラーフィルタ９Ｇの透過率と赤のカラーフィルタ９Ｒの透過率との積となる。
【００７１】
図６は、緑のカラーフィルタ９Ｇ、赤のカラーフィルタ９Ｒ、黒のカラーフィルタ９ＢＬＫの分光特性の比較例を示すグラフである。
【００７２】
この図６からも、６８０ｎｍ付近より長波長側で緑のカラーフィルタ９Ｇと黒のカラーフィルタ９ＢＬＫとの分光特性がほぼ一致することが理解できる。
【００７３】
図７は、本実施の形態に係る受光素子１で実現される分光特性の例を示すグラフであり、光の波長４００ｎｍから１１００ｎｍまでの範囲での透過率の変化を表している。
【００７４】
受光素子１で実現される分光特性は、緑のカラーフィルタ９Ｇの分光特性から、黒のカラーフィルタ９ＢＬＫの分光特性を演算部８による演算で差し引いた分光特性で表される。緑のカラーフィルタ９Ｇの分光特性の面積（積分値）から黒のカラーフィルタ９ＢＬＫの面積（積分値）を差し引くことにより、照度センサとして人間の可視域４００ｎｍから７００ｎｍに対応する高精度な色分離、照度測定が可能であることが分かる。
【００７５】
すなわち、本実施の形態に係る受光素子１は、照度観測値として、緑のカラーフィルタ９Ｇ経由で光電変換素子２ａに入射された光の観測値から、黒のカラーフィルタ９Ｂ経由で光電変換素子２ｂに入射された光の観測値を演算部８で引く。これにより、人間の視覚感度域外（例えば７００ｎｍより長波長側）の光の観測値の影響を除き、人間の可視域の光の観測値を得ることができる。
【００７６】
ＣＣＤ、ＣＭＯＳ等の一般的な光電変換素子は、およそ４００ｎｍから１１００ｎｍの広い範囲の光に対し感度を持つ。従来においては、上述したように、７００ｎｍから長波長側の近赤外域の光を、赤外線カットフィルタでカットしている。従来の撮像素子（イメージセンサ）では、受光素子で観測されるが、赤外線カットフィルタでカットされない残りの波長範囲４００ｎｍ〜７００ｎｍにて、緑、青、赤のカラーフィルタを用いて、色分離を行う。
【００７７】
これに対して、上述したように、本実施の形態では、緑のカラーフィルタ９Ｇの透過率の積分値から、およそ６４０ｎｍより長波長側の透過率の積分値を引いた値を受光素子に入射する光の照度としている。したがって、本実施の形態により、可視域で低透過の特性を持ち、６４０ｎｍ〜６８０ｎｍ付近の範囲より長波長側で透過率が増加し、８００ｎｍより長波長側で透過域となる特性を持つ緑のカラーフィルタ９Ｇと黒のカラーフィルタ９ＢＬＫとを、受光面に配置し、色分離に活用できるとともに人間の視覚感度にあわせた照度センサを実現可能となる。
【００７８】
図８は、本実施の形態に係る受光素子１の製造工程の例を示す断面図である。
【００７９】
まず、半導体基板３の受光側に光電変換素子２ａ，２ｂが形成される。次に、半導体基板３及び光電変換素子２ａ，２ｂの受光側に平滑化層４が形成される。次に、平滑化層４の受光側であり複数の光電変換素子２ａ，２ｂ上に、第１フィルタ５（緑のカラーフィルタ９Ｇ）経由で光が入射するように第１フィルタ５が形成される。次に、第１フィルタ５の受光側であり光電変換素子２ｂ上に、第２フィルタ６（赤のカラーフィルタ９Ｒ）及び第１フィルタ５（緑のカラーフィルタ９Ｇ）経由で光が入射するように第２フィルタ６が形成される。そして、第１フィルタ９Ｇと第２フィルタ９Ｒ上に、平滑化層７が形成される。
【００８０】
図９は、本実施の形態に係る受光素子１を具備する照度センサを備えたディスプレイの例を示すブロック図である。
【００８１】
本実施の形態に係る受光素子１を具備する照度センサ１０は、ディスプレイ１１の設置場所における人間の視覚感度に対応する照度観測値を求め、輝度決定部１２に提供する。
【００８２】
輝度決定部１２は、照度センサ１０から受け付けた照度観測値に基づいて、ディスプレイ１１の輝度を決定する。輝度決定部１２は、例えば、照度観測値とディスプレイ１２の輝度との変換テーブルを予め記憶しており、受け付けた照度観測値に対応する輝度を選択する。ディスプレイ１１は、輝度決定部１２によって決定された輝度により画像表示を行う。
【００８３】
一般的な受光素子は、人間の視覚感度域外、特に長波長側の赤外域にも感度を有する。このため、この一般的な受光素子をそのまま照度センサに用いると、受光素子で観測した観測値と、人間の目に感じるディスプレイの設置場所の明るさとが異なることになる。
【００８４】
しかしながら、本実施の形態に係る受光素子１を具備する照度センサ１０を用いた場合には、人間の目に感じる明るさに対応する感度でディスプレイ１１の設置場所の明るさを観測でき、ディスプレイ１１の輝度を人間が視認しやすい明るさに自動で制御できる。ディスプレイ１１の設置場所の明るさは、例えば、太陽光、照明、蛍光灯、タングステンランプ、曇か晴れかなどの天気など、様々な室内の光及び外光により影響を受ける。
【００８５】
以上説明した本実施の形態に係る受光素子１を利用した照度センサ１０は、一方の画素の光電変換素子２ａにおいて第１フィルタ５経由で光を観測するとともに、他方の補正用の画素の光電変換素子２ｂにおいて第１フィルタ５及び第２フィルタ６経由で赤外域の光を観測し、一方の光電変換素子２ａの観測値から他方の光電変換素子２ｂの観測値を差し引いて補正する。これにより、光電変換素子２ａの測定範囲のうち、人間の可視域外の範囲で測定された照度の影響を削減でき、人間の可視域に対応する照度を高精度に測定することができる。
【００８６】
従来の照度センサでは、人間の視覚感度に十分な配慮がなされていなかったが、本実施の形態に係る受光素子１を利用した照度センサ１０は、人間の視覚感度に対応する照度観測値を得ることができるため、例えばディスプレイ１１の明るさを適切に制御させることができ、ディスプレイ１１の視認性を大幅に向上させることができる。
【００８７】
また、本実施の形態に係る受光素子１を利用した照度センサ１０では、従来のセンサモジュールの光学系に挿入されていた厚みのある吸収型、反射型の赤外カットフィルタを省略できる。このため、照度センサ１０を薄くすることができ、低コスト化できる。
【００８８】
本実施の形態において、受光素子１は、光電変換素子２ａ，２ｂとカラーフィルタ９とを具備するシンプルな構成を持つ。したがって、受光素子１を効率よく製造できる。
【００８９】
なお、上述した本実施の形態において、黒のカラーフィルタ９ＢＬＫは２種以上のフィルタ５，６を積層して構成している。しかしながら、黒のカラーフィルタ９ＢＬＫは、積層構造に限らず光学的に重畳されていればよい。ここでいう光学的に重畳とは、色の異なる第１フィルタ５と第２フィルタとの積層部にて黒のカラーフィルタ９ＢＬＫを構成してもよく、又は、第１フィルタ５に用いられる顔料と第２フィルタ６に用いられる顔料とを混合した着色樹脂にて単層の黒のカラーフィルタを構成してもよいことをいう。また、黒のカラーフィルタ９ＢＬＫを積層構造とする場合、３種以上のフィルタを積層してもよい。
【００９０】
例えば、第１フィルタ５を青又は赤のカラーフィルタとし、画素は可視光波長域の青領域又は赤領域に受光感度を持つとし、補正用画素により赤外域を測定させてもよい。これにより、入射光が太陽光、蛍光灯、タングステンランプ、曇天時の光など、各種光源であっても、受光素子１を人間の視覚感度と同じ感度とすることができる。
【００９１】
また、可視光波長域に感度を持たせた画素と、可視光波長域で透過率を抑制する色素を可視光波長域に透過域を持つ染料や有機顔料と混ぜ合わせた画素とを設けてもよい。
【００９２】
可視光波長域及び可視光波長域より長波長で透過率を持つ第１色材によるカラーフィルタで光を観測する画素と、可視光波長域で低く可視光波長域より長波長側で高い透過率を持つ第２色材及び可視光波長域より長波長域で第１色材と同様の透過率を持つ第３色材（第１色材でもよい）とを光学的に重畳したカラーフィルタで光を観測する画素という２種類の画素を具備する照度センサ１０を用いることで、ディスプレイの置かれた場所での光源の種類（例えば太陽光の有無及び強度、天気、照明のＯＮ／ＯＦＦ）に応じた照度補正を行うことができる。
【００９３】
（第２の実施の形態）
本実施の形態では、上記第１の実施の形態に係る緑のカラーフィルタ９Ｇに代えて、市販の色材を用いた緑のカラーフィルタを具備する受光素子について説明する。他の条件（例えば製造工程、膜厚など）については、上記第１の実施の形態と同様である。
【００９４】
図１０は、本実施の形態に係る受光素子の例を示す断面図である。
【００９５】
この図１０の受光素子１３は、上記第１の実施の形態に係る受光素子１の第１フィルタ５（緑のカラーフィルタ９Ｇ）に代えて、この緑のカラーフィルタ９Ｇと異なる光特性を持つ第１フィルタ１４（緑のカラーフィルタ１５Ｇ）を具備する。第１フィルタ１４の一部に第２フィルタ６が積層されてカラーフィルタ１５が構成される。
【００９６】
図１１は、本実施の形態に係る受光素子１３を光の入射側から見た正面図である。
【００９７】
緑のカラーフィルタ１５Ｇと赤のカラーフィルタ９Ｒとの積層部は、黒（Black）のカラーフィルタ１５ＢＬＫとなる。
【００９８】
図１２は、緑のカラーフィルタ１５Ｇの分光特性の例を示すグラフであり、光の波長と透過率との関係の例を示している。
【００９９】
本実施の形態に係る緑のカラーフィルタ１５Ｇの透過率は、波長４００ｎｍから１１００ｎｍまでの範囲において、５４０ｎｍから５６０ｎｍまでの範囲付近で一度ピークとなり、その後減少し、７４０ｎｍから８６０ｎｍまでの範囲付近（波長７８０ｎｍを含む波長範囲）で低透過（透過抑制状態）となり、８６０ｎｍ付近より長波長側で再度増加する特性を持つ。
【０１００】
図１３は、黒のカラーフィルタ１５ＢＬＫの分光特性の例を示すグラフである。
【０１０１】
黒のカラーフィルタ１５ＢＬＫの透過率は、６８０ｎｍ付近より長波長側で上記図１２に示す緑のカラーフィルタ１５Ｇとほぼ同様の特性を持つ。
【０１０２】
図１４は、緑のカラーフィルタ１５Ｇ、赤のカラーフィルタ９Ｒ、黒のカラーフィルタ１５ＢＬＫの分光特性の比較例を示すグラフである。
【０１０３】
この図１４からも、６８０ｎｍ付近より長波長側で緑のカラーフィルタ１５Ｇと黒のカラーフィルタ１５ＢＬＫとの分光特性がほぼ一致することが理解できる。
【０１０４】
図１５は、本実施の形態に係る受光素子１３で実現される分光特性の例を示すグラフであり、光の波長４００ｎｍから１１００ｎｍまでの範囲での透過率の変化を表している。
【０１０５】
受光素子１３で実現される分光特性は、緑のカラーフィルタ１５Ｇの透過率から、黒のカラーフィルタ１５ＢＬＫの透過率を差し引いた分光特性で表される。緑のカラーフィルタ１５Ｇの分光特性の面積（積分値）から黒のカラーフィルタ１５ＢＬＫの面積（積分値）を演算部８で差し引くことにより、照度センサとして人間の可視域４００ｎｍから７００ｎｍに対応する高精度な色分離、照度観測が可能となる。
【０１０６】
そこで、本実施の形態に係る受光素子１３は、照度観測値として、緑のカラーフィルタ１５Ｇ経由で光電変換素子２ａに入射された光の観測値から、黒のカラーフィルタ１５ＢＬＫ経由で光電変換素子２ｂに入射された光の観測値を引く。これにより、人間の視覚感度域外（例えば７００ｎｍより長波長側）の光の観測値の影響を除去することができ、人間の可視域に対応する光の観測値を得ることができる。
【０１０７】
なお、上記第１の実施の形態において波長６００ｎｍから８００ｎｍまでの波長範囲付近の透過率を抑える方法として、また上記第２の実施の形態において７４０ｎｍから８６０ｎｍまでの波長範囲付近（７８０ｎｍを含む波長範囲）で透過率を抑える方法として、緑の有機顔料を色材とした緑のカラーフィルタ９Ｇ，１５Ｇを用いているが、緑のカラーフィルタ９Ｇ，１５Ｇに赤外線吸収剤を添加して用いてもよい。また、緑のカラーフィルタ９Ｇ，１５Ｇと重なるように、緑のカラーフィルタ９Ｇ，１５Ｇの上部又は下部に赤外線吸収剤を積層してもよい。この場合に使用可能な赤外線吸収剤は、アントラキノン系化合物、フタロシアニン系化合物、シアニン系化合物、ポリメチレン系化合物、アルミニウム系化合物、ジイモニウム系化合物、イモニウム系化合物、アゾ系化合物などが使用可能である。
【０１０８】
また、上記第１の実施の形態に係る黒のカラーフィルタ９ＢＬＫの分光特性において、５６０ｎｍから６４０ｎｍまでの範囲付近に、若干の光の透過（分光の浮き）があり、上記第２の実施の形態に係る黒のカラーフィルタ１５ＢＬＫの分光特性において、５６０ｎｍから７４０ｎｍまでの範囲付近に、若干の光の透過がある。この光の透過を抑制するために、青（Blue）などの他の有機顔料や染料などの色材を赤のカラーフィルタ９Ｒに加えてもよい。
【０１０９】
また、上記各実施の形態における可視域透過フィルタである緑のカラーフィルタ９Ｇ，１５Ｇとしては、例えば光電変換素子２ａ，２ｂの感度、入射光の光源などに応じて高感度であり透過波長範囲の広い分光特性を持つとしてもよいし、あるいは５５０ｎｍ付近の狭い範囲のみを透過波長範囲とする分光特性を持つとしてもよい。
【０１１０】
（第３の実施の形態）
本実施の形態においては、上記第１又は第２の実施の形態に係る緑のカラーフィルタ９Ｇ，１５Ｇに代えて、黄（Yellow）のカラーフィルタを具備する受光素子について説明する。他の条件（例えば製造工程、膜厚など）については、上記第１又は第２の実施の形態と同様である。
【０１１１】
図１６は、本実施の形態に係る受光素子の例を示す断面図である。
【０１１２】
この図１６の受光素子１６は、上記第１又は第２の実施の形態に係る受光素子１，１３の第１フィルタ５，１４（緑のカラーフィルタ９Ｇ，１５Ｇ）に代えて、第１フィルタ１７（黄のカラーフィルタ１８Ｙ）を具備する。第１フィルタ１７の一部に第２フィルタ６が積層されてカラーフィルタ１９が構成される。
【０１１３】
図１７は、本実施の形態に係る受光素子１６を光の入射側から見た正面図である。
【０１１４】
黄のカラーフィルタ１８Ｙと赤のカラーフィルタ９Ｒとの積層部は、黒（Black）のカラーフィルタ１８ＢＬＫとなる。
【０１１５】
図１８は、黄のカラーフィルタ１８Ｙの分光特性の例を示すグラフであり、光の波長と透過率との関係の例を示している。
【０１１６】
本実施の形態に係る黄のカラーフィルタ１８Ｙの透過率は、波長４００ｎｍから１１００ｎｍまでの範囲において、４００ｎｍから４５０ｎｍの範囲付近で抑制されている状態であり、４５０ｎｍから５００ｎｍの範囲付近から長波長側で長波長となるにつれて増加する特性を持つ。
【０１１７】
図１９は、黒のカラーフィルタ１８ＢＬＫの分光特性の例を示すグラフである。
【０１１８】
黒のカラーフィルタ１８ＢＬＫの透過率は、波長４００ｎｍから５６０付近までの範囲で抑制されている状態であり、波長５６０ｎｍ付近から長波長になるにつれて急激に増加し、７５０ｎｍ付近より長波長側では上記図１８に示す黄のカラーフィルタ１８Ｙと同様の特性を持つ。
【０１１９】
図２０は、緑のカラーフィルタ１８Ｙ、赤のカラーフィルタ９Ｒ、黒のカラーフィルタ１８ＢＬＫの分光特性の比較例を示すグラフである。
【０１２０】
この図２０からも、７５０ｎｍ付近より長波長側で黄のカラーフィルタ１８Ｙと黒のカラーフィルタ１８ＢＬＫとの分光特性がほぼ一致することが理解できる。また、赤のカラーフィルタ９Ｒの分光特性と黒のカラーフィルタ１８ＢＬＫの分光特性とはほぼ一致している。
【０１２１】
図２１は、本実施の形態に係る受光素子１６で実現される分光特性の例を示すグラフであり、光の波長４００ｎｍから１１００ｎｍまでの範囲での透過率の変化を表している。
【０１２２】
受光素子１６で実現される分光特性は、黄のカラーフィルタ１８Ｙの透過率から、黒のカラーフィルタ１８ＢＬＫの透過率を差し引いた分光特性で表される。黄のカラーフィルタ１８Ｙの分光特性の面積（積分値）から黒のカラーフィルタ１８ＢＬＫの面積（積分値）を差し引くことにより、照度センサとして人間の可視域４００ｎｍから７００ｎｍに対応する高精度な色分離、照度観測が可能となる。受光素子１６で実現される分光特性は、人間の可視域において高い透過率を持つ。
【０１２３】
以上説明したように、本実施の形態に係る受光素子１６は、照度観測値として、黄のカラーフィルタ１８Ｙ経由で光電変換素子２ａに入射された光の観測値から、黒のカラーフィルタ１８ＢＬＫ経由で光電変換素子２ｂに入射された光の観測値を引く。これにより、人間の視覚感度域外（例えば７００ｎｍより長波長側）の光の観測値の影響を除去することができ、人間の可視域に対応する光の観測値を得ることができる。
【０１２４】
なお、本実施の形態では、黄のカラーフィルタ１８Ｙと赤のカラーフィルタ９Ｒを積層して黒のカラーフィルタ１８ＢＬＫを構成している。しかしながら、上記図２０に示すように、赤のカラーフィルタ９Ｒの分光特性と黒のカラーフィルタ１８ＢＬＫの分光特性とはほぼ一致する。すなわち、光学的な重畳において、黄のカラーフィルタ１８Ｙの透過率と赤のカラーフィルタ９Ｒの透過率との積は、赤のカラーフィルタ９Ｒの透過率とほぼ等しいため、赤のカラーフィルタ９Ｒの単層と黒のカラーフィルタ１８ＢＬＫとはほぼ等しい機能を持つといえる。
【０１２５】
したがって、黄のカラーフィルタ１８Ｙと赤のカラーフィルタ９Ｒの階層構成に代えて、赤のカラーフィルタ９Ｒ単体を光電変換素子２ｂに対応させて受光素子を形成してもよい。
【０１２６】
上記各実施の形態において、赤のカラーフィルタ９Ｒや黒のカラーフィルタ９ＢＬＫ，１５ＢＬＫ，１８ＢＬＫは、光電変換素子２ｂ上（光の入射側）のみに備えるのではなく、さらに光電変換素子２ｂ周辺にも配設することにより、迷光の影響を軽減させることができ、照度センサ１０としての測定精度を向上させることができる。
【０１２７】
また、上記各実施の形態において、人間の可視域より短波長側の透過率を抑制するために、カラーフィルタ９，１５，１９に紫外線吸収剤を添加してもよく、カラーフィルタ９，１５，１９と重なるように、カラーフィルタ９，１５，１９の上部又は下部に紫外線吸収剤を積層してもよい。この場合に使用可能な紫外線吸収剤は、ベンゾトリアゾール系化合物、ベンゾフェノン系化合物、サルチル酸系化合物、クマリン系化合物などが使用可能である。
【０１２８】
上記各実施の形態において、赤外線吸収機能は、赤外線吸収性化合物や赤外線吸収剤を透明樹脂に添加あるいはペンダント方式（反応性染料など反応型赤外線吸収剤などの形で樹脂分子鎖に組み込む方式）で実現可能である。紫外線吸収機能も、同様に、紫外線吸収性化合物や紫外線吸収剤を透明樹脂に添加あるいはペンダント方式で実現可能である。
【０１２９】
上記各実施の形態において、平坦化層４，７は透明樹脂、例えば、アクリル樹脂、エポキシ樹脂、ポリエステル樹脂、ウレタン樹脂、メラニン樹脂、尿素樹脂、スチレン樹脂、ポリイミド樹脂、フェノール樹脂、又はこれらの共重合物からなる群から選択された樹脂により形成可能である。
【０１３０】
また、各カラーフィルタにおいて、色材である有機顔料、染料、赤外線吸収材、紫外線吸収剤を混合する有機樹脂に、上記のような透明樹脂を用いるとしてもよい。
【０１３１】
上記各実施の形態において、赤のカラーフィルタの着色組成物として、C.I.ピグメントレッド179、C.I.ピグメントイエロー139、C.I.ピグメントバイオレット23、C.I.ピグメントレッド177の顔料を含む着色組成物を用いてもよい。
【０１３２】
上記第１及び第２の実施の形態において、緑のカラーフィルタ９Ｇ，１５Ｇと黒のカラーフィルタ９ＢＬＫ，１５ＢＬＫとは、横方向に一体的に構成されているが、緑のカラーフィルタ９Ｇ，１５Ｇと黒のカラーフィルタ９ＢＬＫ，１５ＢＬＫとの間にスペースを設け、分離構造としてもよい。
【０１３３】
同様に、上記第３の実施の形態において、黄のカラーフィルタ１８Ｙと、黒のカラーフィルタ１８ＢＬＫ又は赤のカラーフィルタ９Ｒとを分離構造としてもよい。
【図面の簡単な説明】
【０１３４】
【図１】本発明の第１の実施の形態に係る受光素子の例を示す断面図。
【図２】第１の実施の形態に係る受光素子を光の入射側から見た正面図。
【図３】第１の実施の形態に係る緑のカラーフィルタの分光特性の例を示すグラフ。
【図４】第１の実施の形態に係る赤のカラーフィルタの分光特性の例を示すグラフ。
【図５】第１の実施の形態に係る緑のカラーフィルタと赤のカラーフィルタとの積層部である黒のカラーフィルタの分光特性の例を示すグラフ。
【図６】第１の実施の形態に係る緑のカラーフィルタ、赤のカラーフィルタ、黒のカラーフィルタの分光特性の比較例を示すグラフ。
【図７】第１の実施の形態に係る受光素子で実現される分光特性の例を示すグラフ。
【図８】第１の実施の形態に係る受光素子の製造工程の例を示す断面図。
【図９】第１の実施の形態に係る受光素子を具備する照度センサを備えたディスプレイの例を示すブロック図。
【図１０】本発明の第２の実施の形態に係る受光素子の例を示す断面図。
【図１１】第２の実施の形態に係る受光素子を光の入射側から見た正面図。
【図１２】第２の実施の形態に係る緑のカラーフィルタの分光特性の例を示すグラフ。
【図１３】第２の実施の形態に係る黒のカラーフィルタの分光特性の例を示すグラフ。
【図１４】第２の実施の形態に係る緑のカラーフィルタ、赤のカラーフィルタ、黒のカラーフィルタの分光特性の比較例を示すグラフ。
【図１５】第２の実施の形態に係る受光素子で実現される分光特性の例を示すグラフ。
【図１６】本発明の第３の実施の形態に係る受光素子の例を示す断面図。
【図１７】第３の実施の形態に係る受光素子を光の入射側から見た正面図。
【図１８】第３の実施の形態に係る黄のカラーフィルタの分光特性の例を示すグラフ。
【図１９】第３の実施の形態に係る黒のカラーフィルタの分光特性の例を示すグラフ。
【図２０】第３の実施の形態に係る緑のカラーフィルタ、赤のカラーフィルタ、黒のカラーフィルタの分光特性の比較例を示すグラフ。
【図２１】第３の実施の形態に係る受光素子で実現される分光特性の例を示すグラフ。
【図２２】人間の視覚感度、光電変換素子の感度（ＳＰＤ感度）、光電変換素子の感度に対して好ましい近赤外域カットフィルタの透過率の関係の例を示すグラフ。
【図２３】反射型の赤外線カットフィルタと赤外線吸収型の赤外線カットフィルタにおける光の波長と透過率との関係の例を示すグラフ。
【符号の説明】
【０１３５】
１，１３，１６…受光素子、２ａ，２ｂ…光電変換素子、３…半導体基板、４，７…平滑化層、５，１４，１７…第１フィルタ、６…第２フィルタ、８…演算部、９，１５，１９…カラーフィルタ、９Ｇ，１５Ｇ…緑のカラーフィルタ、９Ｒ…赤のカラーフィルタ、９ＢＬＫ，１５ＢＬＫ，１８ＢＬＫ…黒のカラーフィルタ、１０…照度センサ、１１…ディスプレイ、１２…輝度決定部、１８Ｙ…黄のカラーフィルタ
【図１】
2006313974.tif 000003
【図２】
2006313974.tif 000004
【図３】
2006313974.tif 000005
【図４】
2006313974.tif 000006
【図５】
2006313974.tif 000007
【図６】
2006313974.tif 000008
【図７】
2006313974.tif 000009
【図８】
2006313974.tif 000010
【図９】
2006313974.tif 000011
【図１０】
2006313974.tif 000012
【図１１】
2006313974.tif 000013
【図１２】
2006313974.tif 000014
【図１３】
2006313974.tif 000015
【図１４】
2006313974.tif 000016
【図１５】
2006313974.tif 000017
【図１６】
2006313974.tif 000018
【図１７】
2006313974.tif 000019
【図１８】
2006313974.tif 000020
【図１９】
2006313974.tif 000021
【図２０】
2006313974.tif 000022
【図２１】
2006313974.tif 000023
【図２２】
2006313974.tif 000024
【図２３】
2006313974.tif 000025